(57)【要約】【課題】  無線タグの不揮発性メモリの容量増加を抑制でき、読み出し時間の増加も抑制できる電子装置を提供する。【解決手段】  書込可能な無線タグ６０が配置された第１部分２００ｂと、第１部分２００ｂとは別個に形成される第２部分１００ａとがロック機構１１６により結合され、第２部分２００ａには交番磁界を発生させるアンテナ部１７が設けられ、アンテナ部１７に交番磁界を発生させる電力を供給すると共に無線タグ６０との間でデータ送受信するリーダライタユニット２７とが設けられる電子装置２００で、リーダライタユニット２７と無線タグ６０とが所定時間内に送受信不能になると予想される事象の発生時に、その事象の発生を検出して送受信不能の予告信号３２を出力する予告信号出力手段を備え、リーダライタユニット２７は予告信号３２を受信した場合に無線タグ６０への次のデータの送信を中止する。【選択図】  図１
2006072889.tif 000002
【特許請求の範囲】
【請求項１】
書込可能な無線タグが配置されたサブユニットが脱着可能に格納される第１部分と、
前記第１部分とは別個に形成される第２部分とが、
少なくとも使用可能状態においては前記第１部分と前記第２部分とを結合させた状態が維持されるロック機構により結合されて構成され、
前記第２部分には、前記無線タグに対して電力を供給すると共に通信に利用するための交番磁界を発生させるアンテナ部が前記無線タグに対向して設けられると共に、前記アンテナ部に対して、交番磁界を発生させるための電力を供給すると共に、前記無線タグに書き込むためのデータを送信し、及び、前記無線タグから読み出されたデータを受信するリーダライタユニットと、
前記リーダライタユニットへの電源電圧を供給する電源供給手段と
が少なくとも設けられる電子装置であって、
前記リーダライタユニットと前記無線タグとが所定時間内に送受信不能になると予想される事象が発生した場合に、その事象の発生を検出して送受信不能の予告信号を出力する予告信号出力手段をさらに備え、
前記リーダライタユニットは、前記予告信号を受信した場合に、前記無線タグに対する次のデータの送信を中止する
ことを特徴とする電子装置。
【請求項２】
前記事象は、前記ロック機構の解除による前記第１部分と前記第２部分の離間であり、
前記予告信号出力手段は、前記ロック機構におけるロックを解除するための操作部分に連動して、実際にロックが解除される前の予備操作により前記予告信号を出力するスイッチ部を備えるものである
ことを特徴とする請求項１に記載の電子装置。
【請求項３】
前記事象は、前記ロック機構の解除による前記第１部分と前記第２部分の離間であり、
前記予告信号出力手段は、前記ロック機構におけるロックを解除するための操作部分に連動して、実際にロックが解除される前の、前記操作部分のストロークにおける余裕部分で前記予告信号を出力するスイッチ部を備えるものである
ことを特徴とする請求項１に記載の電子装置。
【請求項４】
前記事象は、前記ロック機構の解除による前記第１部分と前記第２部分の離間であり、
前記予告信号出力手段は、前記ロック機構のロック機構におけるロックを解除するための操作部分に連動して、前記無線タグと前記アンテナ部との間の距離が送受信可能な有効距離よりも長くなる前に前記予告信号を出力するスイッチ部を備えるものである
ことを特徴とする請求項１に記載の電子装置。
【請求項５】
前記事象は、前記ロック機構の解除による前記第１部分と前記第２部分の離間であり、
前記予告信号出力手段は、前記ロック機構のロック機構におけるロックを解除するための操作部分に連動して、前記無線タグと前記アンテナ部との間の距離が送受信可能な有効距離よりも長くなる前から、少なくとも前記リーダライタユニットが書込を予定しているデータの書込処理を開始する前までの間に、前記予告信号を出力するスイッチ部を備えるものである
ことを特徴とする請求項１に記載の電子装置。
【請求項６】
前記事象は、前記リーダライタユニットへの電源電圧の供給停止であり、
前記予告信号出力手段は、前記電源供給手段への電源電圧の供給停止を検出する検出部と、その供給停止からタイムラグを有して前記リーダライタユニットへの供給電圧が停止されるように出力電力を一時的に保持する出力エネルギ蓄積部と、前記検出部の検出結果により前記予告信号を出力する予告信号出力部を備える前記電源供給手段である
ことを特徴とする請求項１に記載の電子装置。
【発明の詳細な説明】
【技術分野】
【０００１】
この発明は、書込可能な無線タグが配置されたサブユニットが脱着可能に格納され、その無線タグに対して電力供給と通信が可能なリーダライタユニットが設けられた電子装置に関する。
【背景技術】
【０００２】
従来から、非接触型記憶部である無線タグとそのリーダライタユニットとを用い、リーダライタユニットで発生される交番磁界により、無線タグに電力を供給すると共に、データの書込及び読出（転送）を行う電子装置が知られている。
【０００３】
また、無線タグに転送するデータのシリアル転送速度を向上させるために、コイルの巻数比又は駆動電圧のレベルを変更することで、転送信号の信号レベルを多値化する装置が知られている（例えば、特許文献１参照）。
【０００４】
また、転送速度を早くなり、無線タグとそのリーダライタユニット間の通信距離が変化する状況でも、受信側でデータ読み取りエラーが発生しないように、転送信号を周波数変調あるいは位相変調により多値化する装置が知られている（例えば、特許文献２参照）。
【０００５】
【特許文献１】特開平１１−１５４２０５号公報
【特許文献２】特開２０００−２７６５６２号公報
【発明の開示】
【発明が解決しようとする課題】
【０００６】
書込可能な無線タグにおいては、一般的に、記憶手段として不揮発性メモリが用いられている。不揮発性メモリへデータを書込む場合の手順としては、メモリ内に保存されているデータの中から指定された書込アドレスのデータをクリーニングした後に、新たなデータをその書込アドレスに書き込む手順となる。
【０００７】
ところが、無線タグにデータを書き込む際には、交番磁界を受給することで不揮発性メモリに電源が供給されるため、データ書込中に何らかの理由で交番磁界が受給されなくなった場合には、指定された書込アドレスのデータにクリーニングのみが実施されてその後の書込が実施されず、データが破壊されてしまう場合があった。なお、交番磁界が受給されなくなる場合とは、例えば、無線タグとそのリーダライタユニット間の通信距離が有効通信距離から外れる場合、あるいは、停電した場合である。
【０００８】
このようなデータ書込中における交番磁界の受給停止によりデータが破壊される事態を避けるための従来の方法としては、まず、指定された書込アドレスのデータにクリーニングを実施する前に、そのデータを不揮発性メモリの別アドレスにバックアップコピーすると共に、そのデータの読出時に元データと同一であることを確認できるように元データとハッシュ関数から生成されたハッシュ値も不揮発性メモリの別アドレスに書込んでおく。そして、指定されたアドレスからデータを読出す時には、別アドレスのハッシュ値も読み出して演算によりデータに破損が有るか否かの検査を行い、破損が有った場合には、別アドレスに格納された元データのバックアップコピーにより修復を行う。
【０００９】
しかしながら、上記したデータ書込中の交番磁界の受給停止によるデータ破壊を避けるための従来の方法では、メモリ容量がバックアップメモリ分とハッシュ値を記憶する分だけ余分に必要になることから、無線タグの不揮発性メモリの記憶容量を増大させる必要があるという問題がある。さらに、従来の方法では、指定されたアドレスからデータを読出す時に、別アドレスのハッシュ値も読み出して演算により破損の有無を判定し、破損が有った場合には修復も行うので、データの読み出しに時間が多く必要になるという問題がある。
【００１０】
本発明は、上述した課題を解決するためになされたものであって、無線タグの不揮発性メモリの容量増加を抑制でき、読み出し時間の増加も抑制できる電子装置を提供すること目的とする。
【課題を解決するための手段】
【００１１】
上記した課題を解決するために、本発明の電子装置は、書込可能な無線タグが配置されたサブユニットが脱着可能に格納される第１部分と、第１部分とは別個に形成される第２部分とが、少なくとも使用可能状態においては第１部分と第２部分とを結合させた状態が維持されるロック機構により結合されて構成され、
第２部分には、無線タグに対して電力を供給すると共に通信に利用するための交番磁界を発生させるアンテナ部が無線タグに対向して設けられると共に、アンテナ部に対して、交番磁界を発生させるための電力を供給すると共に、無線タグに書き込むためのデータを送信し、且つ、無線タグから読み出されたデータを受信するリーダライタユニットと、リーダライタユニットへの電源電圧を供給する電源供給手段とが少なくとも設けられる電子装置であって、
リーダライタユニットと無線タグとが所定時間内に送受信不能になると予想される事象が発生した場合に、その事象の発生を検出して送受信不能の予告信号を出力する予告信号出力手段をさらに備え、
リーダライタユニットは、予告信号を受信した場合に、無線タグに対する次のデータの送信を中止することを特徴とする。
【発明の効果】
【００１２】
本発明の電子装置では、リーダライタユニットと無線タグとが所定時間内に送受信不能になると予想される事象の発生を検出して送受信不能の予告信号を出力する予告信号出力手段を備えるので、リーダライタユニットは、無線タグに今回送信中のデータアクセスが終了した後には、無線タグへの次回以降のデータアクセスを中止させることができる。つまり、無線タグの不揮発性メモリへのデータ書込中に、指定アドレスのデータをクリーニングした後にそのアドレスに書き込む前に送受信が不能になり、書き込まれたデータが破損する事態を避けることができる。
【００１３】
さらに、本発明の電子装置では、上記したように破損する可能性のあるデータの書き込み処理を、予告信号の受信により事前に中止するので、指定アドレスへのデータ書き込み時に、従来のように、不揮発性メモリの別アドレスにバックアップコピーを作成したり、別アドレスにハッシュ値を格納する必要が無くなり、無線タグの不揮発性メモリの容量増加を抑制することができる。
【００１４】
また、本発明の電子装置では、上記したように破損する可能性のあるデータの書き込み処理を、予告信号の受信により事前に中止するので、従来のように、データの読出時に元データと同一であることを確認する必要が無くなる。つまり、不揮発性メモリの別アドレスにハッシュ値を格納する必要が無くなり、無線タグの不揮発性メモリの容量増加をさらに抑制することができる。さらに、ハッシュ値の読み出し及びハッシュ値による同一性の確認のための演算処理に必要な時間も不要になるので、読み出し時間の増加も抑制することができる。
【発明を実施するための最良の形態】
【００１５】
以下、本発明の実施の形態を図面に従って説明する。
【００１６】
実施の形態１．
図１は、本発明の実施の形態１の電子装置の主要部の概略構成を示すブロック図である。
図１の電子装置２００は、書込可能な無線タグ６０が配置されたサブユニットが脱着可能に格納される第１部分２００ｂと、その第１部分２００ｂとは別個に形成される第２部分２００ａとが、少なくとも使用可能状態においては第１部分２００ｂと第２部分２００ａとを結合させた状態が維持されるロック機構により結合されて構成されている。ロック機構については、図４を用いて後述する。
【００１７】
また、図１の電子装置２００には、無線タグ６０、その無線タグ６０への電力供給のための交番磁界の発生および無線信号を送受信する送受信アンテナ１７、送受信アンテナ１７に供給する電圧と信号を供給するリーダライタユニット２７、リーダライタユニット２７にリーダライタ用電源２８を供給すると共にリーダライタユニット２７を制御コマンド等により制御する制御部１、及び、制御部１経由でリーダライタユニット２７に電源電圧を供給する電源供給部３６が示されている。なお、本実施の形態の予告信号３２の発生部については、図４を用いて後述する。
【００１８】
リーダライタユニット２７は、リーダライタ通信信号３４により制御部１と接続されると共に、接続部１からリーダライタ電源２８の供給を受ける。
【００１９】
制御インターフェース（Ｉ／Ｆ）部２は、リーダライタユニット２７の内部に配置されている後述する各レジスタ及びバッファへの、制御部１によるデータの書き込み及び読み出しを可能にするものである。
【００２０】
第２部分２００ａには、無線タグ６０に対して電力を供給すると共に通信に利用するための交番磁界を発生させる送受信アンテナ部１７が無線タグ６０に対向して設けられる。
【００２１】
また、第２部分２００ａには、送受信アンテナ部１７に対して、交番磁界を発生させるための電力を供給すると共に、無線タグ６０に書き込むためのデータを送信し、及び、無線タグ６０から読み出されたデータを受信するリーダライタユニット２７と、リーダライタユニット２７への電源電圧を供給する電源供給手段３６とが少なくとも設けられている。
【００２２】
リーダライタユニット２７と無線タグ６０とが所定時間内に送受信不能になると予想される事象が発生した場合に、その事象の発生を検出して送受信不能の予告信号を出力する予告信号出力手段については、図４を用いて後述する。
【００２３】
リーダライタユニット２７は、予告信号３２を受信した場合に、無線タグ６０に対する次のデータの送信を中止する。
【００２４】
本実施の形態において、上記したリーダライタユニット２７と無線タグ６０とが所定時間内に送受信不能になると予想される事象は、ロック機構の解除による第１部分２００ｂと第２部分２００ａの離間である。
【００２５】
送信バッファ３は、制御部１から、無線タグ６０に送信して書き込まれるデータが一時的に書き込まれるバッファであり、そのデータは、制御部１から制御Ｉ／Ｆ部２を経由して送信バッファデータ４として送信バッファ３に書き込まれる。
【００２６】
送信バッファアドレスポインタ５は、送信バッファ３のアドレスを指定する。送信バッファアドレスポインタ５によりアドレス指定された送信バッファ３のデータは、変調データ生成部９に出力される。送信バッファアドレスポインタ５は、制御部１からのレジスタリード／ライト信号２９により、送信バッファ３内の任意のアドレスへの読み出し書き込みが可能である。送信バッファアドレスポインタ５には、送信制御部６から出力される送信バッファアドレスインクリメント信号１４が入力される。
【００２７】
送信制御部６は、送信開始レジスタ１１、ＢＵＳＹ  ＦＬＡＧレジスタ１２及びエラーＦＬＡＧレジスタ１３の各レジスタに書き込まれた値が入力され、送信バッファアドレスポインタ５に受信バッファアドレスインクリメント信号１４を出力すると共に、変調データ生成部９に変調データ生成トリガパルス７を出力する。
【００２８】
変調データ生成部９は、送信するために送信バッファ３から入力するデータから変調データを生成して変調回路部１５に出力すると共に、ＢＵＳＹ  ＦＬＡＧセット信号８を生成してＢＵＳＹ  ＦＬＡＧレジスタ１２に出力する。変調データ生成部９は、変調データ生成トリガパルス７が入力することにより、送信バッファ３から入力した送信データを送信フォーマット形式に生成し、２値信号の変調データ１０として変調回路部１５および受信データ判定部２０に出力する。
【００２９】
送信開始レジスタ１１は、制御部１から、レジスタリードライト信号２９により読み出し／書き込みが可能であり、そのレジスタ値を送信制御部６に出力するが、送信開始レジスタリセット信号３１が入力された場合にはリセットされる。
【００３０】
ＢＵＳＹ  ＦＬＡＧレジスタ１２は、制御部１から、レジスタリードライト信号２９により読み出し／書き込みが可能であり、変調データ生成部９から入力されるＢＵＳＹ  ＦＬＡＧセット信号８によりセットされ、そのＦＬＡＧ値を送信制御部６に出力するが、ＢＵＳＹ  ＦＬＡＧ  リセット信号３３が入力された場合にはリセットされる。
【００３１】
エラーＦＬＡＧレジスタ１３は、制御部１から、レジスタリードライト信号２９により読み出し／書き込みが可能であり、受信データ判定部２０から入力されるエラーＦＬＡＧセット信号２１によりセットされ、そのＦＬＡＧ値を送信制御部６に出力する。
【００３２】
変調回路部１５は、変調データ生成部９より入力した変調データ１０を、振幅の異なる２種の搬送波を組み合わせて示すＡＳＫ変調により変調して出力増幅器１６に出力する。出力増幅器１６は、ＡＳＫ変調されたデータを増幅し、送受信アンテナ１７は、その増幅されたデータを外部に送出する。
【００３３】
受信アンプ１８は、送受信アンテナ１７の両端入力を増幅して検波回路部１９に出力する。検波回路部１９は、無線タグ６０から入力するロードスイッチング信号を二値信号に復調し、受信データ判定部２０に出力する。
【００３４】
受信データ判定部２０は、変調データ１０及び復調されたロードスイッチング信号が入力され、受信データ２３、受信バッファインクリメント信号２２、ＢＵＳＹ  ＦＬＡＧリセット信号３３、エラーＦＬＡＧセット信号２１を出力する。受信データ判定部２０のデータは、受信バッファアドレスポインタ２４によりアドレス指定されて、受信バッファ２５に受信データ２３として入力される。
【００３５】
受信バッファアドレスポインタ２４は、受信バッファ２５のアドレスを指定する。受信バッファアドレスポインタ２４は、制御部１から、レジスタリード／ライト信号２９により読み出し／書き込みが可能である。受信バッファアドレスポインタ２４は、受信データ判定部２０から出力される受信バッファアドレスインクリメント信号２２が入力される。
【００３６】
受信バッファ２５は、制御部１から、無線タグ６０からの受信データを読み出すためのバッファであり、その受信データは、受信バッファデータ２６として読み出され、制御Ｉ／Ｆ部２を経由して制御部１へ送出される。
【００３７】
予告信号ラッチ３０は、外部から入力した予告信号３２をラッチし、そのラッチ出力を送信開始レジスタリセット信号３１として出力する。予告信号３２は、リーダライタユニット２７の外部から入力される信号である。予告信号ラッチ３０に格納された予告信号３２の値は、制御部１から、レジスタリードライト信号２９により読み出し／書き込みが可能であり、そのラッチされた値を送信制御部６に出力する。
【００３８】
予告信号３２は、本実施の形態では、第１部分２００ｂと第２部分２００ａとの離間を予告する信号であり、より具体的には、第１部分２００ｂに配置された無線タグ６０と、第２部分２００ａに配置された送受信アンテナ１７とが離間することで、無線タグ６０への電力供給が停止され、データの送受信が不能になることを予告する信号である。
【００３９】
図２は図１に示した無線タグ６０の内部構成を示すブロック図である。
送受信アンテナ５０の両端間には、ロードスイッチ５１、整流部５２、検波回路部５３、及び、変調データ生成部５８が接続されている。
【００４０】
送受信アンテナ５０は、図１の送受信アンテナ１７から出力される交番磁界により電流を発生させると共にＡＳＫ変調されたデータを受信する。
【００４１】
整流部５２は、図１の送受信アンテナ１７により発生された交番磁界から送受信アンテナ５０が発生させた交番電流を整流することにより、無線タグ６０の内部に電力を供給する。
【００４２】
検波回路部５３は、交番磁界と兼ねて受信されたＡＳＫ変調されたデータを二値信号に復調し、受信データ判定部５４に出力する。
【００４３】
受信データ判定部５４は、復調された受信信号から受信データを抽出し、受信データ命令をデコードし、キャリア信号を検出し、受信データ命令に対する応答コード５６及びキャリア検出信号５５を変調データ生成部５８に出力する。また、受信データ判定部５４は、受信データ命令のデコード結果がメモリ読み出し／書き込みである場合には、不揮発性メモリアクセス信号５９を用いて不揮発性メモリ５７にアクセスする。
【００４４】
不揮発性メモリ５７は、入力する不揮発性メモリアクセス信号５９の指示によりメモリからのデータ読み出し及びデータの書き込みを行い、読み出し（読み出しデータ）／書き込みした結果については、同じく不揮発性メモリアクセス信号５９を用いて、受信データ判定部５４に出力する。
【００４５】
変調データ生成部５８は、キャリア検出信号５５が入力されることにより、同様に入力される受信データ命令に対する応答コード５６を送信フォーマット形式で生成し、その生成された応答コード５６に従ってロードスイッチ５１をＯＮ／ＯＦＦさせることによりデータを送信する。
【００４６】
図３は、図１の電子装置２００が電子写真方式のカラー印刷装置である場合の全体の概略構成を示す図である。
装置の下部に記録媒体を収める給紙カセット１０１を有し、その給紙カセット１０１から記録媒体を１枚ずつ分離給紙する給紙機構（不図示）内の給紙ローラ１０２ａ、給紙ローラ１０２ｂ、分離ローラ１０３を用いて、記録媒体が上部の搬送ローラ１０４へ送出される。
【００４７】
記録媒体は、搬送ローラ１０４から送出されて搬送ローラ１０５まで到達し、搬送ローラ１０５により複数の画像形成部１０６により画像が形成されるステージの搬送ベルト１０７に送出される。搬送ベルト１０７により搬送される記録媒体には、複数の画像形成部１０６ａ、１０６ｂ、１０６ｃ、１０６ｄの順に、各画像形成部により形成された各色の画像が転写されて、定着器１０８に送出される。
【００４８】
記録媒体上に転写された各色の画像は、定着期１０８により定着される。その記録媒体は、搬送ローラ１０９に送出され、さらに、搬送ローラ１０９以降に設置された搬送ローラ１１１により装置外に搬出される。
【００４９】
ＬＥＤユニット１１０ａ、１１０ｂ、１１０ｃ、１１０ｄは、各々が対応する各画像形成部１０６ａ、１０６ｂ、１０６ｃ、１０６ｄに潜像を形成する。ＬＥＤユニット１１０ａ、１１０ｂ、１１０ｃ、１１０ｄは、各々が対応するホルダ１１２ａ、１１２ｂ、１１２ｃ、１１２ｄにより各々が対応する各画像形成部１０６ａ、１０６ｂ、１０６ｃ、１０６ｄに当接するように位置決めされて支持される。各ホルダ１１２ａ、１１２ｂ、１１２ｃ、１１２ｄは、さらに開閉可能な上部フレーム１１３に保持されている。従って、ＬＥＤユニット１１０ａ、１１０ｂ、１１０ｃ、１１０ｄは、上部フレーム１１３の開閉により移動可能となる。
【００５０】
ＬＥＤユニット１１０ａ、１１０ｂ、１１０ｃ、１１０ｄは、電子装置２００内部の制御部１１４と信号ケーブル１１５により接続されている。各画像形成部１０６ａ、１０６ｂ、１０６ｃ、１０６ｄには、トナーカートリッジ１２０ａ、１２０ｂ、１２０ｃ、１２０ｄが装着されてトナーを供給する。
【００５１】
図３の電子装置２００が電子写真方式のカラー印刷装置である場合には、トナーカートリッジ１２０ａ、１２０ｂ、１２０ｃ、１２０ｄの上部には、無線タグ６０ａ、６０ｂ、６０ｃ、６０ｄが組み込まれる。一方、リーダライタユニット送受信アンテナ１７ａ、１７ｂ、１７ｃ、１７ｄは、各無線タグに対向する位置となるように上部フレーム１１３に取り付けられる。上部フレーム１１３には、カバーが閉状態となったときにベースフレーム１１７に上部フレーム１１３をロックするためのカバーロック機構１１６が設けられている。
【００５２】
図４は、図３の電子装置２００におけるカバーロック機構１１６を拡大して示した図である。
上部フレーム１１３には、ロックレバーシャフト１１９及びマイクロスイッチ１３０が固定されて設けられている。ロックレバー１１８には、カバーロック解除方向に回動可能であるように軸となるロックレバーシャフト１１９が貫通される。ロックレバー１１８のロック部１２１は、カバーロック状態で、ベースフレーム１１７の固定部１１７ａを引っかけて固定する。このカバーロック状態では、マイクロスイッチ１３０のスイッチレバー１３０ａは押し下げされておらず解放されている。
【００５３】
ロックレバー１１８がカバーロック解除方向に回転されると、まず、マイクロスイッチ１３０のスイッチレバー１３０ａが、ロックレバー１１８の押下部１２２により押し下げられる。この時点では、まだ、カバーロックは解除されていない。その後、さらにロックレバー１１８がカバーロック解除方向に回転されると、ロックレバー１１８のロック部１２１は、ベースフレーム１１７の固定部１１７ａから外れる。すなわち、引っかけ固定が外れるようになっている。
【００５４】
マイクロスイッチ１３０は、スイッチレバー１１８の押下／非押下を、カバーロック解放（２００ａと２００ｂが離れる）の予備動作として、スイッチレバー１３０ａで検出し、それによる無線タグ６０ａ、６０ｂ、６０ｃ、６０ｄとリーダライタユニット送受信アンテナ１７ａ、１７ｂ、１７ｃ、１７ｄが離間することを予告する信号（予告信号３２）をリーダライタユニット２７に出力する。
【００５５】
図５（ａ）は、図４のカバーロック機構１１６におけるロックレバー１１８が完全にロックされている状態を示し、図５（ｂ）は、電子装置２００の第１部分２００ｂに対して第２部分２００ａがカバーロックされた状態であることを示している。
【００５６】
図５（ａ）では、完全にカバーロック機構１１６によりカバーロックされている状態のマイクロスイッチ１３０からはＬレベル（ＯＦＦ）の予告信号３２が出力されている。
【００５７】
図５（ｂ）では、電子装置２００がカバーロック機構１１６によりカバーロックされた状態では、無線タグ６０ａ、６０ｂ、６０ｃ、６０ｄとリーダライタユニット送受信アンテナ１７ａ、１７ｂ、１７ｃ、１７ｄとの間の距離がＤ１となっている。距離Ｄ１は、無線タグ６０ａ、６０ｂ、６０ｃ、６０ｄと対応する各リーダライタユニット送受信アンテナ１７ａ、１７ｂ、１７ｃ、１７ｄとの間で通信が可能な距離である。
【００５８】
図６（ａ）は、図４のロックレバー１１８が少し（ストロークの余裕部分、あるいは、予備動作部分）だけカバーロック解除方向に回動されているが、まだロックされている状態であることを示し、図６（ｂ）は、この状態でもまだ電子装置２００の第１部分２００ｂに対して第２部分２００ａがカバーロックされた状態であることを示している。
【００５９】
図６（ａ）では、カバーロック機構１１６におけるロックレバー１１８が上記したようにストロークの余裕部分、あるいは、予備動作部分だけ回動されることにより、押下部１２２がマイクロスイッチ１３０のスイッチレバー１３０ａを押し下げているが、まだカバーロックされている。マイクロスイッチ１３０からは、スイッチレバー１３０ａが押し下げられることでＨレベル（ＯＮ）の予告信号３２が出力されている。
【００６０】
図６（ｂ）では、電子装置２００が、まだカバーロック機構１１６によりカバーロックされた状態であり、無線タグ６０ａ、６０ｂ、６０ｃ、６０ｄとリーダライタユニット送受信アンテナ１７ａ、１７ｂ、１７ｃ、１７ｄとの間の距離は、図５（ｂ）と同様にＤ１であり通信可能である。
【００６１】
図７（ａ）は、図４のロックレバー１１８が図６（ａ）からさらに（ストロークの余裕部分を超えて、あるいは、予備動作部分より多く）カバーロック解除方向に回動されて、ロックが解除された状態であることを示し、図７（ｂ）は、この状態では、電子装置２００の第１部分２００ｂに対してカバー部である第２部分２００ａのロックが解除されて開いた状態を示している。
【００６２】
図７（ａ）では、カバーロック機構１１６におけるロックレバー１１８が図６（ａ）からさらにストロークの余裕部分を超えて、あるいは、予備動作部分より多く回動されることにより、押下部１２２がマイクロスイッチ１３０のスイッチレバー１３０ａを押し下げた状態で、カバーロックが解除されている。マイクロスイッチ１３０からは、まだスイッチレバー１３０ａが押し下げられているのでＨレベル（ＯＮ）の予告信号３２が出力されている。
【００６３】
図７（ｂ）では、電子装置２００のカバーロック機構１１６によるカバーロックが解除された状態であり、無線タグ６０ａ、６０ｂ、６０ｃ、６０ｄとリーダライタユニット送受信アンテナ１７ａ、１７ｂ、１７ｃ、１７ｄとの間の距離が、図５（ｂ）の距離Ｄ１よりも大きい距離Ｄ２〜Ｄ５となっている。この図７（ｂ）では、電子装置２００の左側の面に蝶番（ヒンジ）機構を備えるため、距離Ｄ２〜Ｄ５は各々異なり、距離Ｄ２＞距離Ｄ３＞距離Ｄ４＞距離Ｄ５（＞距離Ｄ１）である。また、例えば、蝶番（ヒンジ）機構を図７（ｂ）で電子装置２００の奥側の面に設けた場合には、距離Ｄ２＝距離Ｄ３＝距離Ｄ４＝距離Ｄ５（＞距離Ｄ１）となる。
【００６４】
図８は、無線タグ６０ａ、６０ｂ、６０ｃ、６０ｄとリーダライタユニット送受信アンテナ１７ａ、１７ｂ、１７ｃ、１７ｄとの間の距離の変化に対比させて、マイクロスイッチ１３０からの予告信号のタイミングを示した図である。
予告信号３２は、タイミングＴ１（例えば、図５の状態）ではＬレベルであり、無線タグ６０ａ、６０ｂ、６０ｃ、６０ｄとリーダライタユニット送受信アンテナ１７ａ、１７ｂ、１７ｃ、１７ｄとの間の距離Ｄは、図５のＤ１である。この状態がＣ１であり、距離Ｄ１は、通信可能距離（限界値）ＤＬよりも短い距離である。
【００６５】
タイミングＴ２（例えば、図６の状態）になると、予告信号３２は、Ｈレベルになるが、この状態Ｃ２では、まだ、電子装置２００のカバーロック機構１１６によるカバーロックが解除されていないので、距離Ｄは、変化せずＤ１のままである。
【００６６】
タイミングＴ３になると、電子装置２００のカバーロック機構１１６によるカバーロックが解除される。電子装置２００の予告信号３２は、Ｈレベルのままであるが、この状態Ｃ３では、カバーロックが解除されているので、距離Ｄは、徐々に増加していく。しかし、状態Ｃ３では、距離Ｄは通信可能距離（限界値）ＤＬよりも短い距離である。
【００６７】
つまり、タイミングＴ２になってマイクロスイッチ１３０が押されると、予告信号３２は、Ｈレベルになるが、この時の状態Ｃ２では、まだカバーロックはロック中であり、距離Ｄは維持されるが、タイミングＣ３になると、カバーロックが解除されて距離Ｄが徐々に増加する。この状態Ｃ２〜Ｃ３の間は、距離Ｄは維持されるか徐々に離間し始めるが、通信可能距離ＤＬ以内であるので、例えば、この間（状態Ｃ２〜Ｃ３）に、受信バッファに格納されていたデータを不図示の不揮発性メモリ等に格納することができるが、本実施の形態では送信バッファ３からのデータの送信は中止される。ここで、従来のように、状態Ｃ２やＣ３でもデータを送信してしまうと、応答データを受信する頃には距離Ｄが通信可能距離ＤＬより離間して処理できなくなり、データが破損する事態が発生する可能性があるためである。
【００６８】
タイミングＴ４になると、距離Ｄは通信可能距離（限界値）ＤＬよりも長い距離になる。この状態Ｃ４では、もうデータの書き込みは不可能であるので、例えば、データ書込中に、指定アドレスのデータをクリーニングした後に、このタイミングＴ４を過ぎて状態Ｃ４になった場合には、そのアドレスに書き込まれたデータが破損してしまう。
【００６９】
図９は、図１〜図３により示した本実施の形態の電子装置２００のリーダライタユニット２７における通常時（カバーロック機構１１６が操作されない場合）の各部の動作と信号のタイミングを示す図である。
【００７０】
また、図９は、カバーロック機構１１６が操作されない通常時の動作が実施される場合であり、送信バッファ３に格納された送信データが無線タグ６０に送信され、無線タグ６０からの受信データが取り込まれた場合の各部のタイミングでもある。
【００７１】
送信バッファ３に書き込まれる送信データは、制御部１から制御Ｉ／Ｆ部２を経由して入力される。また、送信バッファ３のアドレスは、送信バッファアドレスポインタ５を書き込むことによって指定される。送信バッファ３のデータは、送信バッファデータ４が予め書き込まれていることとする。
【００７２】
図９は、カバーロック機構１１６が操作されない通常時の動作であるので、送信バッファ３の送信データを無線タグ６０に送信し、さらに、受信バッファ２５に受信データを取り込む間の動作過程において、予告信号ラッチ３０では、予告信号３２は検出されず、つまり、予告信号３２は“Ｌ”レベルあるいは、レベル“０”の出力のままとなる。
【００７３】
この場合に、まず、制御部１は、送信開始レジスタ１１をＬレベルの“０”からＨレベルの“１”にセットする。
【００７４】
すると、送信制御部６では、送信開始レジスタ１１がＨレベルの“１”（１１ａ）、ＢＵＳＹ  ＦＬＡＧレジスタ１２が“０”（１２ａ）、エラーＦＬＡＧレジスタ１３が“０”（１３ａ）である場合、送信バッファアドレスポインタ５を“０Ｈ”にセット（１４ａ）し、変調データ生成トリガ７を発生させる（７ａ）。
【００７５】
変調データ生成部９は、変調データ生成トリガ７のパルスが入力されることにより、送信バッファ３から入力された送信データを送信フォーマット形式に生成し、変調データ１０として変調回路部１５及び受信データ判定部２０に出力すると共に、ＢＵＳＹ  ＦＬＡＧセット信号８を出力する（９ａ）。変調データ１０は、ＳＯＦ(Start Of Flame)＋送信データ＋ＤＡＴＡ  ＣＲＣ＋ＥＯＦ(End Of Flame)及びキャリアで構成される。
【００７６】
変調回路部１５は、変調データ生成部９より入力された二値信号である変調データ１０を、振幅の異なる２種の搬送波を組み合わせて示すＡＳＫ変調により変調し、そのＡＳＫ変調された信号を出力増幅器１６で増幅して送受信アンテナ１７から出力する。
【００７７】
一方、無線タグ６０では、送受信アンテナ１７により生成された交番磁界により送受信アンテナ５０の両端に発生する誘導電圧を整流部５２で整流し、無線タグ６０内の各部に電力を供給すると共に、検波回路部５３では、交番磁界と兼ねて受信されるＡＳＫ変調波を二値信号に復調し、受信データ判定部５４に出力する。
【００７８】
受信データ判定部５４は、検波回路部５３で復調された受信信号から受信データの抽出、受信データ命令のデコード及びキャリア信号の検出を行い、変調データ生成部５８に、受信データ命令に対する応答コード５６及びキャリア信号５５を出力する。それと共に受信データ判定部５４は、受信データ命令のデコード結果が、メモリ読み出し／書き込みであった場合には、不揮発性メモリアクセス信号５９を用いて不揮発性メモリ５７にアクセスする。
【００７９】
不揮発性メモリ５７は、不揮発性メモリアクセス信号５９の指示に従い、メモリの読み出し及び書き込みを行うと共に、読み出し（読み出しデータ）／書き込み結果を、同様に不揮発性メモリアクセス信号５９を用いて受信データ判定部２０に出力する。
【００８０】
変調データ生成部５８は、キャリア検出信号５５が入力されることにより、受信データ命令に対する応答コード５６を送信フォーマット形式｛(SOF: Start Of Flame)＋応答データ＋ＤＡＴＡ  ＣＲＣ＋ＥＯＦ(End Of Data)｝で生成し、ロードスイッチ５１をＯＮ／ＯＦＦさせることによりデータ送信する。
【００８１】
リーダライタユニット２７側の受信アンプ１８では、受信アンテナ１７の両端入力を増幅した後に、検波回路に出力する。検波回路１９では、無線タグ６０のロードスイッチング信号を二値信号に復調し、受信データ判定部２０に出力する。（１９ａ）
【００８２】
受信データ判定部２０では、検波回路部１９から入力される二値信号（無線タグ６０からの応答データ）のデータフォーマットチェック及びＣＲＣチェックを行う。そして、チェック結果が良好であれば、エラーＦＬＡＧはセットしないでＢＵＳＹ  ＦＬＡＧリセット信号３３を出力し（３３ａ）、受信バッファアドレスインクリメント２２ａを出力すると共に、油進データ２３として無線タグ６０からの応答データを出力すること（２３ａ）により、受信バッファ２５に無線タグ６０からの応答データを書き込む。
【００８３】
送信制御部６は、ＢＵＳＹ  ＦＬＡＧレジスタ１２がリセットされると、送信開始レジスタ１１の“１”（１１ｂ）、ＢＵＳＹ  ＦＬＡＧレジスタ１２の“０”（１２ｂ）、エラーＦＬＡＧレジスタ１３の“０”（１３ｂ）が入力されることにより、送信バッファアドレスポインタをインクリメント（１４ｂ）し、変調データ生成トリガ７を発生させる（７ｂ）。
【００８４】
以降の動作については、上記と同様な送受信制御動作を行い、送信バッファ３に予め書き込まれた送信データを無線タグ６０に送信すると共に、受信バッファ２５に無線タグ６０からの応答データを書き込むことができる。
【００８５】
図１０は、図１〜図３により示した本実施の形態の電子装置２００のリーダライタユニット２７において、送信バッファ３の送信データを無線タグ６０に送信し、無線タグ６０からの受信データを受信バッファ２５に取り込むまでの間の過程において、離間予告信号３２が検出された（“１”出力）場合の各部の動作と信号のタイミングを示す図である。
【００８６】
制御部１は、送信開始レジスタ１１をセット（“１”）する。送信制御部６は、送信開始レジスタ１１が“１”（１１ｃ）、ＢＵＳＹ  ＦＲＡＧレジスタ１２が“０”（１２ｃ）、エラーＦＬＡＧレジスタ１３が“０”（１３ｃ）が入力されることにより、送信バッファアドレスポインタ５を“０Ｈ”にセット（１４ｃ）し、変調データ生成トリガ７を発生させる（７ｃ）。
【００８７】
変調データ生成部９は、変調データ生成トリガ７のパルスが入力されることにより、送信バッファ３から入力された送信データを送信フォーマット形式に生成し、変調データ１０として変調回路部１５及び受信データ判定部２０に出力すると共に、ＢＵＳＹ  ＦＬＡＧセット信号８を出力する（８ｃ）。変調データ１０は、ＳＯＦ(Start Of Flame)＋送信データ＋ＤＡＴＡ  ＣＲＣ＋ＥＯＦ(End Of Flame)及びキャリアで構成されている。
【００８８】
変調回路部１５は、変調データ生成部９より入力された二値信号である変調データ１０を、振幅の異なる２種の搬送波を組み合わせて示すＡＳＫ変調により変調し、そのＡＳＫ変調された信号を出力増幅器１６で増幅して送受信アンテナ１７から出力する。
【００８９】
予告信号３２が入力（“１”レベル）されると、予告信号ラッチ３０は、送信開始レジスタリセット信号３１を出力し、送信開始レジスタ１１はリセットされる（３１ｃ）。
【００９０】
一方、無線タグ６０では、送受信アンテナ１７により生成された交番磁界により送受信アンテナ５０の両端に発生する誘導電圧を整流部５２で整流し、無線タグ６０内の各部に電力を供給すると共に、検波回路部５３では、交番磁界と兼ねて受信されるＡＳＫ変調波を二値信号に復調し、受信データ判定部５４に出力する。
【００９１】
受信データ判定部５４は、検波回路部５３で復調された受信信号から受信データの抽出、受信データ命令のデコード及びキャリア信号の検出を行い、変調データ生成部５８に、受信データ命令に対する応答コード５６及びキャリア信号５５を出力する。それと共に受信データ判定部５４は、受信データ命令のデコード結果が、メモリ読み出し／書き込みであった場合には、不揮発性メモリアクセス信号５９を用いて不揮発性メモリ５７にアクセスする。
【００９２】
不揮発性メモリ５７は、不揮発性メモリアクセス信号５９の指示に従い、メモリの読み出し及び書き込みを行うと共に、読み出し（読み出しデータ）／書き込み結果を、同様に不揮発性メモリアクセス信号５９を用いて受信データ判定部２０に出力する。
【００９３】
変調データ生成部５８は、キャリア検出信号５５が入力されることにより、受信データ命令に対する応答コード５６を送信フォーマット形式｛(SOF: Start Of Flame)＋応答データ＋ＤＡＴＡ  ＣＲＣ＋ＥＯＦ(End Of Data)｝で生成し、ロードスイッチ５１をＯＮ／ＯＦＦさせることによりデータ送信する。
【００９４】
リーダライタユニット２７側の受信アンプ１８では、受信アンテナ１７の両端入力を増幅した後に、検波回路に出力する。検波回路１９では、無線タグ６０のロードスイッチング信号を二値信号に復調し、受信データ判定部２０に出力する。（１９ｃ）
【００９５】
受信データ判定部２０では、検波回路部１９から入力される二値信号（無線タグ６０からの応答データ）のデータフォーマットチェック及びＣＲＣチェックを行う。そして、チェック結果が良好であれば、エラーＦＬＡＧはセットしないでＢＵＳＹ  ＦＬＡＧリセット信号３３を出力し（３３ｃ）、受信バッファアドレスインクリメント２２ｃを出力すると共に、油進データ２３として無線タグ６０からの応答データを出力すること（２３ｃ）により、受信バッファ２５に無線タグ６０からの応答データを書き込む。
【００９６】
送信制御部６は、ＢＵＳＹ  ＦＬＡＧレジスタ１２がリセットされると、送信開始レジスタ１１の“０”（１１ｄ）、ＢＵＳＹ  ＦＬＡＧレジスタ１２の“０”（１２ｄ）、エラーＦＬＡＧレジスタ１３の“０”（１３ｄ）が入力されることにより、送信バッファアドレスポインタをインクリメントしないで（１４ｄ）、変調データ生成トリガ７を発生させない（７ｄ）。従って、無線タグ６０への送信は中断される。
【００９７】
上記のように本実施の形態の予告信号出力手段であるマイクロスイッチ１３０は、ロック機構１１６におけるロックを解除するための操作部分（スイッチレバー１１８）に連動して、実際にロックが解除される前の予備操作、または、操作部分のストロークにおける余裕部分により予告信号を出力する。また、マイクロスイッチ１３０は、スイッチレバー１１８に連動して、無線タグ６０と送受信アンテナ部１７との間の距離が送受信可能な有効距離よりも長くなる前か、あるいは、無線タグ６０と送受信アンテナ部１７との間の距離が送受信可能な有効距離よりも長くなる前から、少なくともリーダライタユニット２７が書込を予定しているデータの書込処理を開始する前までの間に予告信号３２を出力する。
【００９８】
このように、本実施の形態の電子装置２００では、リーダライタユニット２７と無線タグ６０とが、所定時間（例えば、ロック機構におけるロックを解除するための操作部分と連動する、実際にロックが解除される前の予備操作時間、あるいは、実際にロックが解除される前の操作部分のストロークにおける余裕部分の操作時間等）内に、送受信不能になると予想されるほど離間すること（事象の発生）を検出して送受信不能の予告信号を出力する予告信号出力手段（マイクロスイッチ１３０）をカバーロック機構１１６に備えるので、リーダライタユニット２７は、無線タグ６０に今回送信中のデータアクセスが終了した後には、無線タグ６０への次回以降のデータアクセスを中止させることができる。つまり、無線タグ６０の不揮発性メモリ５７へのデータ書込中に、指定アドレスのデータをクリーニングした後にそのアドレスに書き込む前に送受信が不能になり、書き込まれたデータが破損する事態を避けることができる。
【００９９】
さらに、本実施の形態の電子装置２００では、上記したように破損する可能性のあるデータの書き込み処理を、予告信号の受信により事前に中止するので、指定アドレスへのデータ書き込み時に、従来のように、不揮発性メモリ５７の別アドレスにバックアップコピーを作成したり、別アドレスにハッシュ値を格納する必要が無くなり、無線タグ６０の不揮発性メモリ５７の容量増加を抑制することができる。
【０１００】
また、本実施の形態の電子装置２００では、上記したように破損する可能性のあるデータの書き込み処理を、予告信号の受信により事前に中止するので、従来のように、データの読出時に元データと同一であることを確認する必要が無くなる。つまり、不揮発性メモリ５７の別アドレスにハッシュ値を格納する必要が無くなり、無線タグ６０の不揮発性メモリ５７の容量増加をさらに抑制することができる。さらに、ハッシュ値の読み出し及びハッシュ値による同一性の確認のための演算処理に必要な時間も不要になるので、読み出し時間の増加も抑制することができる。
【０１０１】
実施の形態２．
図１１は、本発明の実施の形態２の電子装置における電源供給部の概略構成を示すブロック図である。
実施の形態２の電子装置では、電子装置２００における予告信号を発生させる部位が、実施の形態１のマイクロスイッチ１３０ではなく電源供給部３６に変更されている。本実施の形態のその他の構成は、実施の形態１と同様であるので、重複する説明を省略する。
【０１０２】
図１１の電源供給部３６は、商用電源の電圧低下を検出することで停電を検出する検出部７１と、検出部７１の検出結果に基づいてリーダライタユニット２７に対して、所定時間内に停電することの予告信号３２ａを出力する予告信号出力部７２を備えている。
【０１０３】
また、電源供給部３６は、外部から入力される商用電源をリーダライタユニット２７に適した電圧にして出力する電源電圧出力部７３、および、例えば、大容量のコンデンサや電池により、商用電源側に停電が発生した時であっても、少なくとも処理中のデータを不揮発性のメモリに格納する時間分以上は動作可能な電源電圧（供給電圧）を維持できるように出力電力を一時的に蓄積（保持）する出力エネルギ蓄積部７４を有している。つまり、電源供給部３６は、電力供給（入力）側が急に停電により電圧降下しても、出力側は急に電圧が降下せず、徐々に電圧降下する電源であり、電源電圧の供給停止からタイムラグを有してリーダライタユニット２７への供給電圧が停止される。
【０１０４】
従って、本実施の形態では、検出対象となる事象は、商用電源等の供給側で発生した停電であり、送受信が不能になると予想される所定時間は、停電（事象の発生）により動作が可能な下限の動作可能電圧ＶＬよりも電圧が低下する時間である。
【０１０５】
図１２は、電源供給部３６からリーダライタユニット２７に供給されるリーダライタ電源２８の電圧変化と予告信号３２ａのタイミングを示した図である。
予告信号３２ａは、タイミングＴ５（例えば、停電の発生前の状態）ではＬレベルであり、この状態がＣ５であり、リーダライタ電源２８の電圧Ｖ１は、動作可能電圧ＶＬよりも高い値である。
【０１０６】
タイミングＴ６になって停電が発生すると、予告信号３２ａは、Ｈレベルになるが、この時の状態Ｃ６では、まだ、リーダライタ電源２８の電圧Ｖ１は、徐々に電圧降下し始めるが、動作可能電圧ＶＬよりも高い値である。従って、例えば、この間（状態Ｃ６）に、受信バッファに格納されていたデータを不図示の不揮発性メモリ等に格納することができるが、本実施の形態では、送信バッファ３からのデータの送信は中止される。ここで、従来のように、この状態Ｃ６でもデータを送信してしまうと、応答データを受信する頃には電圧低下により処理できなくなり、データが破損する事態が発生するためである。
【０１０７】
タイミングＴ７になると、リーダライタ電源２８の電圧Ｖ１は、動作可能電圧ＶＬよりも低い値になるので、この状態Ｃ７ではリーダライタユニット２７は動作不能である。しかし、タイミングＴ６の予告信号３２ａにより新たなデータは送信されていないため、この時点以降に新たなデータは受信しないので、データの破損は発生しない。
【０１０８】
タイミングＴ８になると、リーダライタ電源２８の電圧Ｖ１は、動作可能電圧ＶＬよりも低い値でてのままになる。この状態Ｃ８では、もうデータの書き込みは不可能であるが、状態Ｃ７の場合と同様に、新たなデータは受信しないので、データの破損は発生しない。
【０１０９】
その他の動作は、実施の形態１の離間を予告する信号を、本実施の形態の停電を予告する信号に読み替えるのみであるので、重複する説明を省略する。
【０１１０】
このように本実施の形態では、電源供給部３６における供給側の電圧低下により停電を検出することで予告信号をリーダライタユニット２７に出力するので、リーダライタユニット２７は、無線タグ６０に今回送信中のデータアクセスが終了した後には、無線タグ６０への次回以降のデータアクセスを中止させることができる。つまり、無線タグ６０の不揮発性メモリ５７へのデータ書込中に、指定アドレスのデータをクリーニングした後にそのアドレスに書き込む前に送受信が不能になり、書き込まれたデータが破損する事態を避けることができる。
【０１１１】
さらに、本実施の形態でも、上記したように破損する可能性のあるデータの書き込み処理を、予告信号の受信により事前に中止するので、指定アドレスへのデータ書き込み時に、従来のように、不揮発性メモリ５７の別アドレスにバックアップコピーを作成したり、別アドレスにハッシュ値を格納する必要が無くなり、無線タグ６０の不揮発性メモリ５７の容量増加を抑制することができる。
【０１１２】
また、本実施の形態でも、上記したように破損する可能性のあるデータの書き込み処理を、予告信号の受信により事前に中止するので、従来のように、データの読出時に元データと同一であることを確認する必要が無くなる。つまり、不揮発性メモリ５７の別アドレスにハッシュ値を格納する必要が無くなり、無線タグ６０の不揮発性メモリ５７の容量増加をさらに抑制することができる。さらに、ハッシュ値の読み出し及びハッシュ値による同一性の確認のための演算処理に必要な時間も不要になるので、読み出し時間の増加も抑制することができる。
【図面の簡単な説明】
【０１１３】
【図１】本発明の実施の形態１の電子装置の主要部の概略構成を示すブロック図である。
【図２】図１に示した無線タグの内部構成を示すブロック図である。
【図３】図１の電子装置が電子写真方式のカラー印刷装置である場合の全体の概略構成を示す図である。
【図４】図３の電子装置におけるカバーロック機構を拡大して示した図である。
【図５】（ａ）は図４のカバーロック機構におけるロックレバーが完全にロックされている状態を示す図であり、（ｂ）は電子装置の第１部分に対して第２部分がカバーロックされた状態であることを示す図である。
【図６】（ａ）は図４のロックレバーが少しだけカバーロック解除方向に回動されているがまだロックされている状態を示す図であり、（ｂ）は（ａ）の状態でもまだ電子装置の第１部分に対して第２部分がカバーロックされた状態であることを示す図である。
【図７】（ａ）は図４のロックレバーが図６（ａ）からさらにカバーロック解除方向に回動されてロックが解除された状態を示す図であり、（ｂ）は（ａ）の状態では電子装置の第１部分に対してカバー部である第２部分のロックが解除されて開いた状態を示す図である。
【図８】無線タグとリーダライタユニット送受信アンテナとの間の距離の変化に対比させてマイクロスイッチからの予告信号のタイミングを示した図である。
【図９】図１〜図３により示した実施の形態１の電子装置のリーダライタユニットにおける通常時（カバーロック機構が操作されない場合）の各部の動作と信号のタイミングを示す図である。
【図１０】図１〜図３により示した実施の形態１の電子装置のリーダライタユニットにおいて送信バッファの送信データを無線タグに送信して無線タグからの受信データを受信バッファに取り込むまでの間に離間予告信号が検出された場合の各部の動作と信号のタイミングを示す図である。
【図１１】本発明の実施の形態２の電子装置における電源供給部の概略構成を示すブロック図である。
【図１２】電源供給部からリーダライタユニットに供給されるリーダライタ電源の電圧変化と予告信号のタイミングを示した図である。
【符号の説明】
【０１１４】
１  制御部、  ２  制御インターフェース（Ｉ／Ｆ）部、  ３  送信バッファ、  ４  送信バッファデータ、  ５  送信バッファアドレスポインタ、  ６  送信制御部、  ７  変調データ生成トリガパルス、  ８  ＢＵＳＹ  ＦＬＡＧセット信号、  ９  変調データ生成部、  １０  変調データ、  １１  送信開始レジスタ、  １２  ＢＵＳＹ  ＦＬＡＧ、  １３  エラーＦＬＡＧ、  １４  送信バッファアドレスインクリメント信号、  １５  変調回路部、  １６  出力増幅器、  １７  送受信アンテナ、  １８  受信アンプ、  １９  検波回路部、  ２０  受信データ判定部、  ２１  エラーＦＬＡＧセット信号、  ２２  受信バッファアドレスインクリメント信号、  ２３  受信データ、  ２４  受信バッファアドレスポインタ、  ２５  受信バッファ、  ２６  受信バッファデータ、  ２７  リーダライタユニット、  ２８  リーダライタ電源、  ２９  レジスタリード／ライト信号、  ３０  予告信号ラッチ、  ３１  送信開始レジスタリセット信号、  ３２  （離間）予告信号、  ３２ａ  （停電）予告信号、  ３３  ＢＵＳＹ  ＦＬＡＧリセット信号、  ３４  リーダライタ通信信号、  ３６  電源供給部、  ５０  送受信アンテナ、  ５１  ロードスイッチ、  ５２  整流部、  ５３  検波回路部、  ５４  受信データ判定部、  ５５  キャリア検出信号、  ５６  応答コード、  ５７  不揮発性メモリ、  ５８  変調データ生成部、  ５９  不揮発性メモリアクセス信号、  ６０  無線タグ、  ７１  検出部、  ７２  予告信号出力部、  ７３  電源電圧出力部、  ７４  出力エネルギ蓄積部、  １０１  給紙カセット、  １０２ａ、１０２ｂ  給紙ローラ、  １０３  分離ローラ、  １０４、１０５、１０９、１１１  搬送ローラ、  １０６  画像形成部、  １０７  搬送ベルト、  １０８  定着器、  １１０ａ、１１０ｂ、１１０ｃ、１１０ｄ  ＬＥＤユニット、  １１２ａ、１１２ｂ、１１２ｃ、１１２ｄ  ホルダ、  １１３  上部フレーム、  １１４  制御部、  １１５  信号ケーブル、  １１６  カバーロック機構、  １１７  ベースフレーム、  １１７ａ  固定部、  １１８  ロックレバー、  １１９  ロックレバーシャフト、  １２１  ロック部、  １２２  押下部、  １３０  マイクロスイッチ、  １３０ａ  スイッチレバー、  ２００  電子装置、  ２００ａ  第２部分、  ２００ｂ  第１部分。
【図１】
2006072889.tif 000003
【図２】
2006072889.tif 000004
【図３】
2006072889.tif 000005
【図４】
2006072889.tif 000006
【図５】
2006072889.tif 000007
【図６】
2006072889.tif 000008
【図７】
2006072889.tif 000009
【図８】
2006072889.tif 000010
【図９】
2006072889.tif 000011
【図１０】
2006072889.tif 000012
【図１１】
2006072889.tif 000013
【図１２】
2006072889.tif 000014